(57)【要約】      （修正有）【課題】共通の駆動モータによりロール紙の切断後に切断手段の上流側のロール紙の先端と切断紙との間に隙間を空けることができるようにしたロール紙の切断装置を提供する。【解決手段】搬送経路に沿ってロール紙Ｒｐを搬送する搬送手段２と、搬送経路の所定位置にロール紙の先端が到達したことを検知する検知手段３と、所定位置よりも搬送方向上流側で所定の設定距離離れた位置に配置されてロール紙を切断する切断手段４とを備える。上流側搬送ローラ２１と下流側搬送ローラ２２とを回転駆動する共通の駆動モータが設けられ、ロール紙を搬送方向に搬送する回転方向を正転方向、ロール紙から切断されるものを切断紙Ｃｐとして、下流側搬送ローラが、切断紙の搬送方向とは逆方向への移動を規制した状態で駆動モータを逆転させて上流側搬送ローラと下流側搬送ローラとを逆転方向に回転駆動すると、切断紙と下流側搬送ロータとの間ですべりを生じる。【選択図】図１
2017113920.tif 000002
【特許請求の範囲】
【請求項１】
搬送経路に沿ってロール紙を搬送する搬送手段と、搬送経路の所定位置にロール紙の先端が到達したときにこれを検知する検知手段と、所定位置よりも搬送方向上流側で所定の設定距離離れた位置に配置されてロール紙を切断する切断手段とを備えるロール紙の切断装置であって、
搬送手段が切断手段よりも搬送方向上流側に配置された上流側搬送ローラと切断手段よりも搬送方向下流側に配置された下流側搬送ローラとを有するものにおいて、
上流側搬送ローラと下流側搬送ローラとを回転駆動する共通の駆動モータが設けられ、
ロール紙を搬送方向に搬送する回転方向を正転方向、切断手段でロール紙を切断することで得られるロール紙の先端から切断手段までの間の所定長さのものを切断紙として、
下流側搬送ローラが、切断紙の搬送方向とは逆方向への移動を規制した状態で駆動モータを逆転させて上流側搬送ローラと下流側搬送ローラとを逆転方向に回転駆動すると、切断紙と下流側搬送ロータとの間ですべりを生じるもので構成されることを特徴とするロール紙の切断装置。
【請求項２】
請求項１記載のロール紙の切断装置を用いてロール紙を切断するロール紙の切断方法であって、
前記駆動モータを正転させて、前記上流側搬送ローラと前記下流側搬送ローラとを正転方向に回転駆動することによりロール紙を搬送する第１工程と、
前記所定位置へのロール紙の先端の到達が検知された時点またはこの時点からロール紙が所定距離搬送された時点でロール紙の搬送を停止する第２工程と、
前記切断手段でロール紙を切断してロール紙の先端から切断手段までの間の所定長さの切断紙を得る第３工程と、
切断手段で切断紙の逆方向への移動を規制した状態で駆動モータを逆転させて上流側搬送ローラと下流側搬送ローラとを逆転方向に回転駆動することにより切断手段の上流側のロール紙を搬送方向と逆方向に戻して、切断手段の上流側のロール紙の先端と切断紙との間に隙間を空ける第４工程とを含み、
これら第１工程から第４工程までを繰り返すことを特徴とするロール紙の切断方法。
【発明の詳細な説明】
【技術分野】
【０００１】
本発明は、ロール紙の切断装置に関し、より詳しくは、例えば、発券装置内に組み込まれてロール紙から所定サイズの券体を作製するためのものに関する。
【背景技術】
【０００２】
駅等に設置される乗車券の発券装置は、一般に、単一の機体で複数種のサイズの乗車券を発券できるように構成されている。このような発券装置には、搬送経路に沿ってロール紙を搬送する搬送手段と、選択された乗車券のサイズに応じて、ロール紙を切断してロール紙の先端から切断位置までの間の所定長さの切断紙を得るための切断手段とを有するロール紙の切断装置が組み込まれている。そして、この切断紙を印字手段に搬送して所定の情報を印字し、磁気情報書込手段に搬送して所定の情報を書き込んだ後、乗車券として装置外に排出（発券）する。
【０００３】
このようなロール紙の切断装置の中には、搬送経路の所定位置にロール紙の先端が到達したときにこれを検知する光学式センサなどの検知手段を設け、この検知手段により所定位置へのロール紙の先端の到達が検知された時点またはこの時点からロール紙が乗車券の種類に応じた所定距離搬送された時点でロール紙の搬送を停止し、この状態で切断手段によりロール紙を切断するものがある。このものでは、切断紙を得た後、切断手段の上流側のロール紙の先端と切断紙との間に隙間を空けて、検知手段によりロール紙の先端を再度検知できるようにしておく必要がある。この場合、切断手段よりも搬送方向上流側の搬送手段と切断手段よりも搬送方向下流側の搬送手段とを夫々独立して駆動されるように構成することが考えられる。然し、これでは、搬送手段毎に駆動モータ等が必要となり、装置の大型化とコストアップとを招来するという問題がある。
【先行技術文献】
【特許文献】
【０００４】
【特許文献１】特開平２−７１３９２号公報
【発明の概要】
【発明が解決しようとする課題】
【０００５】
本発明は、以上の点に鑑み、共通の駆動モータによりロール紙の切断後に切断手段の上流側のロール紙の先端と切断紙との間に隙間を空けることができるようにしたロール紙の切断装置及びその方法を提供することをその課題とするものである。
【課題を解決するための手段】
【０００６】
上記課題を解決するために、搬送経路に沿ってロール紙を搬送する搬送手段と、搬送経路の所定位置にロール紙の先端が到達したときにこれを検知する検知手段と、所定位置よりも搬送方向上流側で所定の設定距離離れた位置に配置されてロール紙を切断する切断手段とを備える本発明のロール紙の切断装置は、搬送手段が切断手段よりも搬送方向上流側に配置された上流側搬送ローラと切断手段よりも搬送方向下流側に配置された下流側搬送ローラとを有し、上流側搬送ローラと下流側搬送ローラとを回転駆動する共通の駆動モータが設けられ、ロール紙を搬送方向に搬送する回転方向を正転方向、切断手段でロール紙を切断することで得られるロール紙の先端から切断手段までの間の所定長さのものを切断紙として、下流側搬送ローラが、切断紙の搬送方向とは逆方向への移動を規制した状態で駆動モータを逆転させて上流側搬送ローラと下流側搬送ローラとを逆転方向に回転駆動すると、切断紙と下流側搬送ロータとの間ですべりを生じるもので構成されることを特徴とする。
【０００７】
また、上記課題を解決するために、上記ロール紙の切断装置を用いてロール紙を切断する本発明のロール紙の切断方法は、前記駆動モータを正転させて、前記上流側搬送ローラと前記下流側搬送ローラとを正転方向に回転駆動することによりロール紙を搬送する第１工程と、前記所定位置へのロール紙の先端の到達が検知された時点またはこの時点からロール紙が所定距離搬送された時点でロール紙の搬送を停止する第２工程と、前記切断手段でロール紙を切断してロール紙の先端から切断手段までの間の所定長さの切断紙を得る第３工程と、切断手段で切断紙の逆方向への移動を規制した状態で駆動モータを逆転させて上流側搬送ローラと下流側搬送ローラとを逆転方向に回転駆動することにより切断手段の上流側のロール紙を搬送方向と逆方向に戻して、切断手段の上流側のロール紙の先端と切断紙との間に隙間を空ける第４工程とを含み、これら第１工程から第４工程までを繰り返すことを特徴とする。
【０００８】
本発明によれば、切断手段によりロール紙を切断した後、駆動モータを逆転させると、上流側搬送ローラは逆転方向に回転駆動されて切断手段の上流側のロール紙が搬送方向と逆方向に戻される一方で、切断紙が例えば切断手段で逆方向への移動が規定され、このとき、下流側搬送ローラが切断紙との間ですべりを生じて切断紙がその位置にとどまる。これにより、切断手段の上流側のロール紙の先端と切断紙との間に隙間を空けることができ、この状態で駆動モータを正転させれば、上流側搬送ローラと下流側搬送ローラとが正転方向に回転駆動されてロール紙と切断紙とが搬送され、検知手段により所定位置へのロール紙の先端の到達を再度検知することができる。このように本発明では、共通の駆動モータによりロール紙の切断後に切断手段の上流側のロール紙の先端と切断紙との間に隙間を空けることができるので、装置の小型化やコストダウンを図ることができる。
【図面の簡単な説明】
【０００９】
【図１】本実施形態のロール紙の切断装置の構成を切断紙作製後の状態で示す模式図。
【図２】動力伝達経路を説明する模式図。
【発明を実施するための形態】
【００１０】
以下、図面を参照して、乗車券を発券する発券装置に組み込まれ、発券しようとする乗車券に応じて所定長さ（サイズ）の切断紙を作製する場合を例に本発明のロール紙の切断装置及びその方法の実施形態を説明する。なお、発券装置としては、切断紙を印字手段に搬送して所定の情報を印字し、磁気情報書込手段に搬送して所定の情報を書き込んだ後、券体として装置外に排出（発券）する公知の構造のものが利用できるため、以下においては詳細な説明は省略する。また、本実施形態では、図１に左から右に向かってロール紙が搬送されるものとし、この姿勢を基準に上、下と言った方向を示すものとする。
【００１１】
図１を参照して、ロール紙の切断装置ＣＭは、繰出軸１に巻回されたロール紙Ｒｐを搬送経路Ｔｐに沿って搬送する搬送手段２と、搬送経路Ｔｐの所定位置にロール紙Ｒｐの先端が到達したときにこれを検知する検知手段３と、所定位置よりも搬送方向上流側で所定の設定距離離れた位置に配置されてロール紙Ｒｐを切断する切断手段４とを備える。
【００１２】
搬送手段２は、切断手段４よりも搬送方向上流側に配置された上流側搬送ローラ２１と、切断手段４よりも搬送方向下流側に配置された下流側搬送ローラ２２と、下流側搬送ローラ２２よりも搬送方向下流側に配置され、後述の切断紙Ｃｐを搬送する切断紙搬送ローラ２３とを有する。上流側搬送ローラ２１、下流側搬送ローラ２２及び切断紙搬送ローラ２３は同一の構成を有し、ロール紙Ｒｐ（及び切断紙Ｃｐ）をその表裏両面から挟持した状態で搬送する上下一対の駆動ローラ２１ａ，２２ａ，２３ａと従動ローラ２１ｂ，２２ｂ，２３ｂとで夫々構成されている。
【００１３】
駆動ローラ２１ａ，２２ａ，２３ａは、図２に示すように、正転または逆転可能な共通の駆動モータ２４で回転駆動されるようになっている。駆動モータ２４の回転軸２４１にはプーリ２４２が設けられると共に各駆動ローラ２１ａ，２２ａ，２３ａの回転軸２１１，２２１，２３１にはプーリ２１２，２２２，２３２が夫々設けられ、これらのプーリ２４２，２１２，２２２，２３２にはタイミングベルト２５が巻き掛けられ、駆動モータ２４からの動力を上流側搬送ローラ２１、下流側搬送ローラ２２及び切断紙搬送ローラ２３の各駆動ローラ２１ａ，２２ａ，２３ａに伝達する動力伝達経路を構成する。
【００１４】
また、本実施形態では、下流側搬送ローラ２２と切断紙搬送ローラ２３とは、切断紙Ｃｐの搬送方向とは逆方向への移動を規制した状態で駆動モータ２４を逆転させて上流側搬送ローラ２１、下流側搬送ローラ２２及び切断紙搬送ローラ２３とを逆転方向に回転駆動すると、切断紙Ｃｐと下流側搬送ロータ２２及び切断紙搬送ローラ２３との間ですべりを生じるもので構成されている。この場合、下流側搬送ローラ２２及び切断紙搬送ローラ２３のロール面の材質や表面形状を変える等によりすべりを生じる構成が実現できる。例えば、下流側搬送ロータ２２及び切断紙搬送ローラ２３のロール面の材質を硬度ショア９０以上のウレタンゴムとすれば動的摩擦係数が０．２〜０．３程度となり、切断紙Ｃｐとの間にすべりを生じさせることができる。
【００１５】
検知手段３は、ロール紙Ｒｐに向けて光を照射する投光部３１と、投光部３１にロール紙Ｒｐを挟んで対峙する受光部３２とを備えた光学式のセンサであり、受光状態と遮光状態との切り換わりでロール紙Ｒｐの先端を検知する。切断手段４は、ロール紙Ｒｐの下側に配置される固定刃４１と、固定刃４１にロール紙Ｒｐを挟んで対峙し、シリンダ等の駆動源４２で進退する可動刃４３とを備える。そして、駆動源４２により固定刃４１に向けて可動刃４３を進入させることでロール紙Ｒｐが切断され、ロール紙Ｒｐの先端から切断手段４までの間の所定長さの切断紙Ｃｐが得られる（図１参照）。これらの搬送手段２や切断手段４の作動は、特に図示していないが、演算処理を実行するパーソナルコンピュータやシーケンサ等を備える発券装置の制御部で統括制御されるようになっている。以下に、上記ロール紙の切断装置ＣＭを用いたロール紙の切断方法を説明する。
【００１６】
発券装置の制御部から所定サイズの発券指示を受けると、駆動モータ２４が正転され、上流側搬送ローラ２１、下流側搬送ローラ２２及び切断紙搬送ローラ２３が正転方向に回転駆動されてロール紙Ｒｐが搬送される（第１工程）。次に、検知手段３により所定位置へのロール紙Ｒｐの先端の到達が検知されると、選択された乗車券のサイズに応じて、この時点またはこの時点からロール紙Ｒｐが所定距離搬送された時点で駆動モータ２４が停止され、ロール紙Ｒｐの搬送が停止される（第２工程）。
【００１７】
ロール紙Ｒｐの搬送が停止されると、固定刃４１に向けて可動刃４３が進入してロール紙Ｒｐが切断される。これにより、ロール紙Ｒｐの先端から切断手段４までの間の所定長さの切断紙Ｃｐが得られる（第３工程）。次に、図１に示すように、固定刃４１に可動刃４３が進入した切断位置の状態のまま駆動モータ２４を逆転させると、上流側搬送ローラ２１、下流側搬送ローラ２２及び切断紙搬送ローラ２３が夫々逆転方向に回転駆動される。このとき、切断手段４の上流側のロール紙Ｒｐが搬送方向と逆方向に戻される一方で、切断紙Ｃｐが可動刃４３でその逆方向への移動が規制されて下流側搬送ローラ２２及び切断紙搬送ローラ２３が切断紙Ｃｐとの間ですべりを生じてその位置にとどまる。その結果、切断手段４の上流側のロール紙Ｒｐの先端と切断紙Ｃｐとの間に隙間Ｓｐが空けられる（第４工程）。そして、上流側搬送ローラ２１、下流側搬送ローラ２２及び切断紙搬送ローラ２３が正転方向に再度回転駆動されて、ロール紙Ｒｐと切断紙Ｃｐが同期して搬送され、検知手段３により所定位置へのロール紙Ｒｐの先端の到達を再度検知することができる。これらの各工程（第１工程から第４工程）までの繰り返して選択された乗車券のサイズに応じた切断紙Ｃｐが作製される。
【００１８】
以上の実施形態によれば、共通の駆動モータ２４によりロール紙Ｒｐの切断後に切断手段４の上流側のロール紙Ｒｐの先端と切断紙Ｃｐとの間に隙間Ｓｐを空けることができるので、装置の小型化やコストダウンを図ることができる。
【００１９】
以上、本発明の実施形態について説明したが、本発明は上記のものに限定されるものではない。上記実施形態では、下流側搬送ローラ２２及び切断紙搬送ローラ２３が切断紙Ｃｐとの間ですべりを生じるものを例に説明したが、発券装置の構成によっては、切断紙搬送ローラ２３は省略することができる。また、上記実施形態では、切断手段４により切断紙Ｃｐの移動を規制したが、これに限定されるものではなく、他の手段を用いて切断紙Ｃｐの移動を規制するようにしてもよい。更に、上記実施形態では、検知手段３として投光部３１と受光部３２とを備えた光学式のセンサを例に説明したが、ロール紙Ｒｐの先端を検知できるものであれば、他のセンサを用いてもよい。また、上記実施形態では、発券装置に組み込む場合を例に説明したが、これに限定されるものではなく、ロール紙Ｒｐから切断紙Ｃｐを得る必要がある装置に本発明は広く適用することができる。
【符号の説明】
【００２０】
ＣＭ…ロール紙の切断装置、２…搬送手段、２１…上流側搬送ローラ、２２…下流側搬送ローラ、２３…切断紙搬送ローラ、２４…駆動モータ、３…検知手段、４…切断手段、Ｒｐ…ロール紙、Ｃｐ…切断紙、Ｓｐ…間隙。
【図１】
2017113920.tif 000003
【図２】
2017113920.tif 000004